(57)【要約】【課題】一枚の板から組み立て可能であり、且つ、少ない組立作業工程で組み立て可能である仕切体を提供すること。【解決手段】第１中央部１０及び第２中央部２０と、第１側部１２と第２側部２２との前後間に配置され、第１起立補助折線４１を介して第１側部１２と連続しており、且つ、第２起立補助折線４２を介して第２側部２２と連続する一対の起立補助部４０と、前後に隣接する第１起立補助線４１と第２起立補助折線４２とを結ぶよう配置され、起立補助部４４とこれに隣接する第１側部１２及び第２側部２２とを切り離す一対の第２切断線４４と、起立補助部４０と中央折線３０との間の部分を切り欠くことによって形成された一対の空間部４３と、を備えており、一対の第１起立補助折線４１は、それぞれ第１折線１１と４４〜４６度の角度を成し、一対の第２起立補助折線４２は、それぞれ第１折線１１と１３４〜１３６度の角度を成している仕切体Ｘ１とする。【選択図】図１
0003153592.tif 000002
【実用新案登録請求の範囲】
【請求項１】
一枚の折り曲げ可能なシートから形成されており、
左右方向に延在する直線状の中央折線を介して前後に連続する第１中央部及び第２中央部と、
前記第１中央部の左右両端縁に配置され、前後方向に延在する一対の第１折線を介して前記第１中央部と連続する一対の第１側部と、
前記第２中央部の左右両端縁に配置され、前後方向に延在する一対の第２折線を介して前記第２中央部と連続する一対の第２側部と、
前後に隣接する前記第１側部と前記第２側部との間に配置され、前後に隣接する前記第１側部と前記第２側部とを切り離す一対の第１切断線と、
前記中央折線の端部を通過する直線上に配された一対の第１起立補助折線及び一対の第２起立補助折線と、
前記第１側部と前記第２側部との前後間に配置され、前記第１起立補助折線を介して前記第１側部と連続しており、且つ、前記第２起立補助折線を介して前記第２側部と連続する一対の起立補助部と、
前後に隣接する前記第１起立補助線と前記第２起立補助折線とを結ぶよう配置され、前記起立補助部とこれに隣接する前記第１側部及び前記第２側部とを切り離す一対の第２切断線と、
前記起立補助部と前記中央折線との間の部分を切り欠くことによって形成された一対の空間部と、を備えており、
一対の前記第１起立補助折線は、それぞれ前記第１折線と４４〜４６度の角度を成し、一対の前記第２起立補助折線は、それぞれ前記第１折線と１３４〜１３６度の角度を成している、
ことを特徴とする仕切体。
【請求項２】
一対の前記起立補助部の少なくとも前後方向片側には、前記第１中央部又は前記第２中央部の左右両端縁から、前記第１側部又は前記第２側部と切り離された仕切部が延出している、請求項１に記載の仕切体。
【請求項３】
前記第１中央部又は前記第２中央部の一方における前記中央折線と対向する端部には、切欠き部が設けられており、前記第１中央部又は前記第２中央部の他方における前記中央折線と対向する端部には、前記切欠き部と係合可能な係合片が設けられている、請求項１又は請求項２に記載の仕切体。
【請求項４】
請求項１〜請求項３のいずれか１項に記載の仕切体を、前記中央折線で折り曲げて前記第１中央部と前記第２中央部とを起立させて重ね合わせることで組み立てられた状態で収納された仕切体が収納された箱であって、
一対の前記第１側部の少なくともどちらか一方の第１中央部と対向する端縁と、一対の前記第２側部の少なくともどちらか一方の第２中央部と対向する端縁とが、内壁と当接している、
ことを特徴とする仕切体が収納された箱。
【考案の詳細な説明】
【技術分野】
【０００１】
本考案は、箱内部に設置してその内部を複数に区画するための仕切体と、その仕切体が収納された箱に関する。
【背景技術】
【０００２】
従来より、この種の仕切体として、例えば下記特許文献１〜３に示すような、複数の部品を組み合わせることで組み立てられるタイプのものが知られている。このようなタイプのものは、部品点数が複数となってしまうため、組み立て作業や在庫の管理が煩雑になってしまう、保管するスペースが大きくなりがちであるなどの問題があった。これらの問題を解決すべくして、例えば下記特許文献４〜６に示すような、一枚の板から組み立て可能とされた仕切体が提案されている。
【先行技術文献】
【特許文献】
【０００３】
【特許文献１】特開２００８−３０７６０号公報
【特許文献２】特開２００６−２６４７７７号公報
【特許文献３】特開平１１−２４０５３３号公報
【特許文献４】特開２００８−１８４１９４号公報
【特許文献５】特開２００５−２９７９９７号公報
【特許文献６】特開２００３−１１８７２４号公報
【考案の概要】
【考案が解決しようとする課題】
【０００４】
しかし、従来の一枚の板から組み立て可能とされた仕切体では、組み立てる際に、折り曲げる、部材同士を組み合わせるなどの組立作業工程が多数必要であったため、組み立て作業が煩雑であった。そこで、本考案の主たる課題は、一枚の板から組み立て可能であり、且つ、少ない組立作業工程で組み立て可能である仕切体とこの仕切体が収納された箱を提供することにある。
【課題を解決するための手段】
【０００５】
次に、上記課題を解決するための手段とそれらの作用効果を示す。なお、本考案における方向を示す語句は、考案の説明上便宜的に用いたものに過ぎない。
〔請求項１に係る考案〕
一枚の折り曲げ可能なシートから形成されており、
左右方向に延在する直線状の中央折線を介して前後に連続する第１中央部及び第２中央部と、
前記第１中央部の左右両端縁に配置され、前後方向に延在する一対の第１折線を介して前記第１中央部と連続する一対の第１側部と、
前記第２中央部の左右両端縁に配置され、前後方向に延在する一対の第２折線を介して前記第２中央部と連続する一対の第２側部と、
前後に隣接する前記第１側部と前記第２側部との間に配置され、前後に隣接する前記第１側部と前記第２側部とを切り離す一対の第１切断線と、
前記中央折線の端部を通過する直線上に配された一対の第１起立補助折線及び一対の第２起立補助折線と、
前記第１側部と前記第２側部との前後間に配置され、前記第１起立補助折線を介して前記第１側部と連続しており、且つ、前記第２起立補助折線を介して前記第２側部と連続する一対の起立補助部と、
前後に隣接する前記第１起立補助線と前記第２起立補助折線とを結ぶよう配置され、前記起立補助部とこれに隣接する前記第１側部及び前記第２側部とを切り離す一対の第２切断線と、
前記起立補助部と前記中央折線との間の部分を切り欠くことによって形成された一対の空間部と、を備えており、
一対の前記第１起立補助折線は、それぞれ前記第１折線と４４〜４６度の角度を成し、一対の前記第２起立補助折線は、それぞれ前記第１折線と１３４〜１３６度の角度を成している、
ことを特徴とする仕切体。
【０００６】
（作用効果）
本請求項に係る考案では、シートを中央折線で折り曲げて第１中央部と第２中央部とを起立させて重ね合わせると、これに伴って、第１中央部と連続する第１側部と、第２中央部と連続する第２側部とが起立し、同時に、一対の第１起立補助折線と一対の第２起立補助折線とでシートが１８０度折れ曲がると共に一対の第１折線と一対の第２折線とで９０度折れ曲がって、第１側部及び第２側部と起立補助部が重ね合わさり、上下方向断面がＨ状である４つに区画する仕切の体を成すようになっている。このように、本請求項に係る考案は、シートを中央折線で折り曲げて第１中央部と第２中央部とを起立させて重ね合わせるだけで、上下方向断面がＨ状である仕切の体を成すようになっているため、１つの作業工程（ワンタッチ）だけで組み立てることが可能となっている。
【０００７】
また、本請求項に係る考案では、起立補助部と中央折線との間の部分を切り欠くことによって形成された一対の空間部が形成されているため、第１起立補助折線及び第２起立補助折線でシートが折れ曲がる際に、起立補助部と中央折線との間の部分に皺が寄ってしまうことがないため、第１起立補助折線及び第２起立補助折線で折れ曲がりやすくなっている。
【０００８】
〔請求項２に係る考案〕
一対の前記起立補助部の少なくとも前後方向片側には、前記第１中央部又は前記第２中央部の左右両端縁から、前記第１側部又は前記第２側部と切り離された仕切部が延出している、請求項１に記載の仕切体。
【０００９】
（作用効果）
本請求項に係る考案では、第１中央部又は第２中央部の左右両端縁から、第１側部又は第２側部と切り離された仕切部が延出しているため、シートを中央折線で折り曲げて第１中央部と第２中央部とを起立させて重ね合わせることで仕切体を組み立てた際に、仕切部が第１中央部又は第２中央部の左右両端縁から突出するため、６つに区画する仕切の体をなすことができるようになっている。
【００１０】
〔請求項３に係る考案〕
前記第１中央部又は前記第２中央部の一方における前記中央折線と対向する端部には、切欠き部が設けられており、前記第１中央部又は前記第２中央部の他方における前記中央折線と対向する端部には、前記切欠き部と係合可能な係合片が設けられている、請求項１又は請求項２に記載の仕切体。
【００１１】
（作用効果）
本請求項に係る考案では、第１中央部又は第２中央部の一方における中央折線と対向する端部に、切欠き部が設けられており、第１中央部又は第２中央部の他方における中央折線と対向する端部に、切欠き部と係合可能な係合片が設けられているため、仕切体の組立時にこの係合片を切欠き部に係合させることによって、仕切体を構成するシートの反発力によって、仕切体の組立状態が崩れてしまうことがない。
【００１２】
〔請求項４に係る考案〕
請求項１〜請求項３のいずれか１項に記載の仕切体を、前記中央折線で折り曲げて前記第１中央部と前記第２中央部とを起立させて重ね合わせることで組み立てられた状態で収納された仕切体が収納された箱であって、
一対の前記第１側部の少なくともどちらか一方の第１中央部と対向する端縁と、一対の前記第２側部の少なくともどちらか一方の第２中央部と対向する端縁とが、内壁と当接している、
ことを特徴とする仕切体が収納された箱。
【００１３】
本請求項に係る考案では、仕切体が収納された箱の内壁に、一対の第１側部の少なくともどちらか一方の第１中央部と対向する端縁と、一対の第２側部の少なくともどちらか一方の第２中央部と対向する端縁とが、当接しているため、組立状態で箱内部に収納された仕切体が、第１側部及び第２側部の延在方向に沿って箱内部で動いてしまうことが防止できる。
【考案の効果】
【００１４】
以上のように、本考案によれば、一枚の板から組み立て可能であり、且つ、少ない組立作業工程で組み立て可能である仕切体とこの仕切体が収納された箱を提供することができる。
【図面の簡単な説明】
【００１５】
【図１】本考案に係る仕切体の第１実施形態の展開図であり、仕切体の表面側から見た図である。
【図２】本考案に係る仕切体の第１実施形態の斜視図であり、仕切体の表面側から見た図である。
【図３】本考案に係る仕切体の第１実施形態の組立過程を示す斜視図である。
【図４】本考案に係る仕切体の第１実施形態の組立状態を示す斜視図である。
【図５】本考案に係る仕切体の第１実施形態の使用例を示す斜視図である。
【図６】本考案に係る仕切体の第２実施形態の展開図であり、仕切体の表面側から見た図である。
【図７】本考案に係る仕切体の第２実施形態の斜視図であり、仕切体の表面側から見た図である。
【図８】本考案に係る仕切体の第２実施形態の組立過程を示す斜視図である。
【図９】本考案に係る仕切体の第２実施形態の組立状態を示す斜視図である。
【図１０】本考案に係る仕切体の第２実施形態の使用例を示す斜視図である。
【考案を実施するための形態】
【００１６】
次に、本考案の実施形態を、添付図面を参照しつつ説明する。なお、図１及び図６中の矢印Ｒは右方向を、矢印Ｌは左方向を、矢印Ｆは前方向を、矢印Ｂは後方向をそれぞれ示しており、これらは説明の便宜上用いたものに過ぎない。また、図１及び図６中の破線及び一点鎖線はそれぞれ折線を示しており、一点鎖線で示される折線は破線で示される折線とは逆に折られる折線である。
【００１７】
〔第１実施形態〕
まず、本考案の第１実施形態を、図１〜図５を参照しつつ説明する。なお、図１及び図２は、本実施形態に係る仕切体Ｘ１を表面側から見た状態を示している。
図１及び図２に示すように、本実施形態に係る仕切体Ｘ１は、矩形状のシート１から構成されている。このシート１は、２枚のライナで中しんを挟むことでなる両面段ボールから成り、段の種類をＢ段とされており、符号１００で示されるように、フルートの波の方向が左右方向に沿っている。
【００１８】
シート１の前後左右方向中央には、直線状の中央折線３０が左右方向に延在しており、この中央折線３０の長さは、シート１の左右方向長さの１／４〜１／３とされている。そして、中央折線３０の前方向には、矩形状の第１中央部１０が配置されており、この一方、中央折線３０の後側には、矩形状の第２中央部２０が配置されており、第１中央部１０と第２中央部２０とは、中央折線３０を介して前後方向に連続している。
【００１９】
第１中央部１０及び第２中央部２０の左右方向両端縁は、前後方向に延在しており、第１中央部１０の左右方向両端縁は、第１折線１１とされており、第２中央部２０の左右方向両端縁は第２折線２１とされている。また、一対の第１折線１１と一対の第２折線２１とは、前後方向長さが全て同一とされており、第１中央部１０と第２中央部２０とは前後方向長さが同じとなっている。
【００２０】
第１中央部１０の前側端部における左右方向中央には、台形状の係止片５１が設けられている。この係止片５１の左右両端縁は、前方向に裾広がりであるハの字状を成しており、係止片５１と第１中央部１０とは、係止片５１の左右両端縁で切り離されている。また、係止片５１は、その後側端縁で第１中央部１０と連続しており、係止片５１の前側端縁は、第１中央部１０の前側端縁と重複している。
【００２１】
この一方、第２中央部２０の後側端部における左右方向中央には、矩形状の切欠き部５２が設けられている。この切欠き部５２の左右方向長さは、係止片５１の後側端縁の左右方向長さと同じとされており、一方、切欠き部５２の前後方向長さは、係止片５１の前後方向長さと同じとされている。
【００２２】
第１中央部１０の左右両端縁である第１折線１１からは、一対の第１側部１２が延出しており、これらの第１側部１２は、相互に第１中央部１０を対称軸として左右対称に現れている。一対の第１側部１２の左右方向長さは、それぞれシート１の左右方向長さの１／３〜３／８とされている。
【００２３】
第２中央部２０の左右両端縁である第２折線２１からは、一対の第１側部２２が延出している。これらの第２側部２２は、相互に第２中央部２０を対称軸として左右対称に現れており、且つ、一対の第１側部１２と中央折線３０を対称軸として前後対称に現れている。また、前後に隣接する第１側部１２と第２側部２２とは、第１切断線３１で切り離されており、相互に接続されている部分が存在しない。一対の第１切断線３１は、中央折線３０と同じ直線上に配置されており、後述する一対の第２切断線４４から延出している。
【００２４】
中央折線３０の左右方向両側には、中央折線３０の左右両端部を通過する直線上に配置された一対の第１起立補助折線４１と一対の第２起立補助折線４２とが設けられている。一対の第１起立補助線４１は、隣接する第１折線１１と４４〜４６度、好ましくは４５度の角度を成して配置されており、この一方、一対の第２起立補助折線４２は、第１折線１１と１３４〜１３６度、好ましくは１３５度の角度を成して配置されており、隣接する第１起立補助線４１と第２起立補助折線４２とは、相互に８８〜９２度、好ましくは９０の角度を成して配置されている。一対の第１起立補助線４１及び一対の第２起立補助折線４２は、中央折線３０と接しておらず、全て長さが同一とされており、一対の第１起立補助線４１と一対の第２起立補助折線４２とは、中央折線３０を対称軸として線対称に現れている。また、左側に位置する第１起立補助線４１と右側に位置する第１起立補助線４１とは、第１中央部１０を対称軸として線対称に現れており、左側に位置する第２起立補助線４２と右側に位置する第２起立補助線４２とは、第２中央部２０を対称軸として線対称に現れている。
【００２５】
前後に隣接する第１起立補助線４１と第２起立補助線４２との前後間には、台形状である一対の起立補助部４０が配置されており、これらの起立補助部４０は、第１起立補助折線４１を介して第１側部１２と連続しており、且つ、第２起立補助折線４２を介して第２側部２と連続している。
【００２６】
左側に位置する第１起立補助線４１及び第２起立補助線４２の左側端部は、直線状に設けられた第２切断線４４によって結ばれており、右側に位置する第１起立補助線４１及び第２起立補助線４２の右側端部は、直線状に設けられた第２切断線４４によって結ばれており、一対の起立補助部４０は、これらに隣接する第１側部１２及び前記第２側部２２と切り離されている。また、一対の起立補助部４０の左右方向長さは、第１側部１２の左右方向長さの１／４〜１／２とされている。
【００２７】
一対の起立補助部４０と中央折線３０との間には、シート１を直角三角形状に切り抜くことで形成された一対の空間部４３が設けられている。一対の空間部４３が成す三角形の頂点の一つは、中央折線３０と接しており、これらの空間部４３の形状は、相互に隣接する空間部４３と起立補助部４０とを組み合わせた図形と相似となっている。また、一対の空間部４３の左右方向長さは、１／３〜１／６とされている。
【００２８】
シート１の裏面側における中央折線３０、一対の第１起立補助線４１、一対の第２起立補助線４２が位置する部分には、直線状の切り込みが形成されている。これらの切り込みは、シート１を貫通せずに設けられており、シート１表面側のライナ一枚を除く中芯及びシート１裏面側のライナに対して設けられている。また、シート１における一対の第１折線１１及び一対の第２折線２１が位置する部分には、ミシン目状の切り込みが形成されており、これらの切り込みはシート１を貫通して設けられている。
【００２９】
次に、本実施形態に係る仕切体Ｘ１の組立手順及び使用形態を説明する。
図２に示されるように展開状態の仕切体Ｘ１は、まず、図３に示すように、第１中央部１０の表面と第２中央部２０の表面とを重ね合わせるようにして、中央折線３０で折り曲げられる。続いて、第１中央部１０の表面と第２中央部２０の表面とを重ね合わせた後に、図４に示されるように、係止片５１をその基端で折り曲げて、切欠き部５２に係止させる。
以上のようにして組み立てられた仕切体Ｘ１は、例えば図５に示されるような形で使用される。なお、組立状態の仕切体Ｘ１が収納される箱の内壁は、一対の第１側部１２の第１中央部１０と対向する端縁と、一対の前記第２側部２２の第２中央部２０と対向する端縁と当接していることが好ましい。仕切体Ｘ１がこのような箱に収納されていることによって、仕切体Ｘ１が、第１側部１２及び第２側部２２の延在方向に沿って箱内部で動いてしまうことが防止できる。
【００３０】
次に、本実施形態に係る仕切体Ｘ１の作用効果を説明する。
本実施形態に係る仕切体Ｘ１では、図３及び図４に示すように、シート１を中央折線３０で折り曲げて第１中央部１０と第２中央部２０とを起立させて重ね合わせると、これに伴って、第１中央部１０と連続する第１側部１２と、第２中央部２０と連続する第２側部２２とが起立し、同時に、一対の第１起立補助折線４１と一対の第２起立補助折線４２とでシートが１８０度折れ曲がると共に一対の第１折線１１と一対の第２折線２１とで９０度折れ曲がって、第１側部１２及び第２側部２２と起立補助部４０が重ね合わさり、上下方向断面がＨ状である４つに区画する仕切の体を成すようになっている。このように、本実施形態に係る仕切体Ｘ１は、シート１を中央折線３０で折り曲げて第１中央部１０と第２中央部２０とを起立させて重ね合わせるという１つの作業工程だけで、上下方向断面がＨ状である仕切の体を成すようになっている。
【００３１】
また、本実施形態に係る仕切体Ｘ１では、起立補助部４０と中央折線３０との間の部分を切り欠くことによって形成された一対の空間部４３が形成されているため、第１起立補助折線４１及び第２起立補助折線４２でシートが折れ曲がる際に、起立補助部４０と中央折線３０との間の部分に皺が寄ってしまうことがないため、第１起立補助折線４１及び第２起立補助折線４２で折れ曲がりやすくなっている。
【００３２】
さらに、本実施形態に係る仕切体Ｘ１では、第２中央部２０の後端部に、切欠き部５２が設けられており、第１中央部１０の前端部に、切欠き部５２と係合可能な係合片５１が設けられているため、仕切体Ｘ１の組立時にこの係合片５１を切欠き部５２に係合させることによって、仕切体Ｘ１を構成するシート１の反発力によって、仕切体Ｘ１の組立状態が崩れてしまうことがない。
【００３３】
〔第２実施形態〕
次に、本考案の第２実施形態を、図６〜図１０を参照しつつ説明する。なお、第１実施形態と同一の部材に関しては、説明を省略する。また、図６及び図７は、本実施形態に係る仕切体Ｘ２を表面側から見た状態を示している。
本実施形態に係る仕切体Ｘ２は、第１中央部１０の左右両端縁から仕切部である第１仕切部６１が延出しており、第２中央部２０の左右両端縁から仕切部である第２仕切部６２が延出している点で、第１実施形態に係る仕切体Ｘ１と異なる。
【００３４】
一対の第１仕切部６１は、一対の起立補助部４０よりも前側に位置しており、角が取れた矩形状を成している。一対の第１仕切部は、第１側部１２とは切り離されており、第１中央部３０を対称軸として相互に線対称に現れている。また、これと共に、第１中央部１０の左右両端縁における一対の第１仕切部６１の基端縁には、第１折線１１が設けられていない。一対の第１仕切部６１の左右方向長さは、第１側部１２の左右方向長さの１／３〜３／４とされており、この一方、一対の第１仕切部６１の前後方向長さは、第１側部１２の前後方向長さの１／６〜１／２とされている。
【００３５】
一対の第２仕切部６２は、第２側部２２とは切り離されており、中央折線３０を対称軸として一対の第１仕切部６２と線対称に現れている。また、これと共に、第２中央部２０の左右両端縁における一対の第２仕切部６２の基端縁には、第２折線２１が設けられていない。
【００３６】
次に、本実施形態に係る仕切体Ｘ２の組立手順及び使用形態を説明する。
図７に示されるように展開状態の仕切体Ｘ２は、まず、図８に示すように、第１中央部１０の表面と第２中央部２０の表面とを重ね合わせるようにして、中央折線３０で折り曲げられる。続いて、第１中央部１０の表面と第２中央部２０の表面とを重ね合わせた後に、図９に示されるように、係止片５１をその基端で折り曲げて、切欠き部５２に係止させる。
以上のようにして組み立てられた仕切体Ｘ２は、例えば図１０に示されるような形で使用される。なお、組立状態の仕切体Ｘ２が収納される箱の内壁は、一対の第１側部１２の第１中央部１０と対向する端縁と、一対の前記第２側部２２の第２中央部２０と対向する端縁と当接していることが好ましい。仕切体Ｘ２がこのような箱に収納されていることによって、仕切体Ｘ２が、第１側部１２及び第２側部２２の延在方向に沿って箱内部で動いてしまうことが防止できる。
【００３７】
次に、本実施形態に係る仕切体Ｘ２の作用効果を説明する。
本実施形態に係る仕切体Ｘ２では、図９及び図１０に示すように、第１中央部１０及び第２中央部２０の左右両端縁から、第１側部１２、第２側部２２と切り離された第１仕切部６１、第２仕切部６２が延出しているため、シート１を中央折線３０で折り曲げて第１中央部１０と第２中央部２０とを起立させて重ね合わせることで仕切体Ｘ２を組み立てた際に、第１仕切部６１及び第２仕切部６２が第１中央部１０、第２中央部２０の左右両端縁から突出するため、６つに区画する仕切の体をなすことができるようになっている。
【００３８】
〔他の実施形態〕
仕切体を構成するシート１の段ボールは、両面段ボールに限定されず、片面段ボール、複両面段ボールなど何れも用いることができるが、その中でも特に、コスト及び強度の観点等から、両面段ボール両面段ボールが好ましい。また、段ボールの中しんの形状は特に限定されず、Ａ段、Ｂ段、Ｃ段、Ｅ段等が使用できるが、その中でも特に、コスト及び強度の観点等から、Ｂ段が好ましい。この一方、仕切体を構成するシート１の素材として、段ボールに限定されず、ボール紙や樹脂製シートなどを特に限定なく用いることもできる。
【産業上の利用可能性】
【００３９】
本考案は、箱内部に設置してその内部を複数に区画するための仕切体として利用可能なものである。
【符号の説明】
【００４０】
１・・・シート
１０・・・第１中央部
１１・・・第１折線
１２・・・第１側部
２０・・・第２中央部
２１・・・第２折線
２２・・・第２側部
３０・・・中央折線
３１・・・第１切断線
４０・・・起立補助部
４１・・・第１起立補助線
４２・・・第２起立補助線
４３・・・空間部
４４・・・第２切断線
５１・・・係合片
５２・・・切欠き部
６１・・・第１仕切部（仕切部）
６２・・・第２仕切部（仕切部）
【図１】
0003153592.tif 000003
【図２】
0003153592.tif 000004
【図３】
0003153592.tif 000005
【図４】
0003153592.tif 000006
【図５】
0003153592.tif 000007
【図６】
0003153592.tif 000008
【図７】
0003153592.tif 000009
【図８】
0003153592.tif 000010
【図９】
0003153592.tif 000011
【図１０】
0003153592.tif 000012